(57)【要約】【課題】泡残りや水溜りの発生を抑えること。【解決手段】実施形態に係る手洗い器は、水栓から吐水される洗浄水を受け、受けた洗浄水を排水孔から排水管へ排出するボウル部が、背面と、排水溝と、底面と、正面と、一対の側面とを備える。背面は、水栓の配置側に設けられる。排水溝は、背面の水平方向に沿って設けられ、背面の水平方向の幅よりも排水管の径に近い長さであって、底壁および底壁を四方から取り囲む側壁によって形成される。また、排水溝は、内部に排水孔を有する。底面は、排水溝の長辺に接続される。正面は、底面に接続され、底面へ向けて下り傾斜して設けられる。一対の側面は、排水溝の短辺、底面および正面に接続され、底面へ向けて下り傾斜して設けられる。【選択図】図１
2016023404.tif 000002
【特許請求の範囲】
【請求項１】
水栓から吐水される洗浄水を受け、該洗浄水を排水孔から排水管へ排出するボウル部を備え、
前記ボウル部は、
前記水栓の配置側に設けられる背面と、
前記背面の水平方向に沿って設けられ、前記背面の水平方向の幅よりも前記排水管の径に近い長さであって、底壁および該底壁を四方から取り囲む側壁によって形成されるとともに内部に前記排水孔を有する排水溝と、
前記排水溝の長辺に接続される底面と、
前記底面に接続され該底面へ向けて下り傾斜して設けられる正面と、
前記排水溝の短辺、前記底面および前記正面に接続され前記底面へ向けて下り傾斜して設けられる一対の側面と
を備えること
を特徴とする手洗い器。
【請求項２】
前記底面は、
前記排水溝へ向けて幅狭であること
を特徴とする請求項１に記載の手洗い器。
【請求項３】
前記底面は、
前記排水溝へ向けて下り傾斜であること
を特徴とする請求項１または２に記載の手洗い器。
【請求項４】
前記排水溝の前記底壁は、
前記排水孔へ向けて下り傾斜であること
を特徴とする請求項１、２または３に記載の手洗い器。
【請求項５】
前記排水孔は、
前記排水溝の前記長辺に沿って、前記側壁に複数設けられること
を特徴とする請求項１〜４のいずれか一つに記載の手洗い器。
【請求項６】
前記排水溝の前記底壁は、
前記排水孔と前記排水孔との間に上方へ突出する凸部を備えること
を特徴とする請求項５に記載の手洗い器。
【請求項７】
前記排水孔から前記排水管までの流路は、
前記ボウル部とは別部材である連通部を前記ボウル部へ接合することで形成され、
前記連通部は、
前記ボウル部との接合位置における前記流路の底面の高さが前記排水孔の下面の高さよりも低いこと
を特徴とする請求項１〜６のいずれか一つに記載の手洗い器。
【発明の詳細な説明】
【技術分野】
【０００１】
開示の実施形態は、手洗い器に関する。
【背景技術】
【０００２】
従来、吐水部から吐水される洗浄水を受けるボウル部の幅方向にわたってスリット状の排水溝を設けた手洗い器がある（たとえば、非特許文献１参照）。かかる手洗い器では、洗浄水をボウル部から排水管へと排出するための排水孔を排水溝内に設けることで、排水孔を見せない外観として意匠性を高めている。
【先行技術文献】
【非特許文献】
【０００３】
【非特許文献１】発明推進協会公開技報公技番号２０１２−５０３１１４号
【発明の概要】
【発明が解決しようとする課題】
【０００４】
しかしながら、上述したような従来の手洗い器では、排水溝が長尺であるがゆえに洗浄水が広がり、水勢が衰え、洗浄水が排水溝内で停滞することがあった。これにより、泡残りや水溜りが発生することがあった。
【０００５】
実施形態の一態様は、上記に鑑みてなされたものであって、泡残りや水溜りの発生を抑えることができる手洗い器を提供することを目的とする。
【課題を解決するための手段】
【０００６】
実施形態の一態様に係る手洗い器は、水栓から吐水される洗浄水を受け、該洗浄水を排水孔から排水管へ排出するボウル部を備え、前記ボウル部は、前記水栓の配置側に設けられる背面と、前記背面の水平方向に沿って設けられ、前記背面の水平方向の幅よりも前記排水管の径に近い長さであって、底壁および該底壁を四方から取り囲む側壁によって形成されるとともに内部に前記排水孔を有する排水溝と、前記排水溝の長辺に接続される底面と、前記底面に接続され該底面へ向けて下り傾斜して設けられる正面と、前記排水溝の短辺、前記底面および前記正面に接続され前記底面へ向けて下り傾斜して設けられる一対の側面とを備えることを特徴とする。
【０００７】
排水溝の長辺の長さが背面の水平方向の幅に対して短尺であり、一対の側面が底面へと集約される形状とすることで、洗浄水がボウル部の幅方向に広がらず、排水溝に流れ込む洗浄水の水勢を好適に保つことができる。これにより、泡残りや水溜りの発生を抑えることができる。
【０００８】
また、前記底面は、前記排水溝へ向けて幅狭であることを特徴とする。これにより、底面を流れる洗浄水は、排水溝へと集中する。すなわち、洗浄水がボウル部の幅方向へ広がることを抑えることができる。
【０００９】
また、前記底面は、前記排水溝へ向けて下り傾斜であることを特徴とする。これにより、洗浄水は、底面の傾斜によって勢いが付き、十分な水勢を持って排水溝へと流れ込むようになる。
【００１０】
また、前記排水溝の前記底壁は、前記排水孔へ向けて下り傾斜であることを特徴とする。これにより、排水溝に流れ込んだ洗浄水は、排水孔へと集中するとともに水勢を増して排水孔へと流れ込むようになる。
【００１１】
また、前記排水孔は、前記排水溝の前記長辺に沿って、前記側壁に複数設けられることを特徴とする。排水孔を複数とすることで、個々の排水孔の面積を小さくすることができる。これにより、異物が流入しにくくなる。また、個々の排水孔の面積を小さくしても総面積で十分な排水面積を確保することができる。
【００１２】
また、前記排水溝の前記底壁は、前記排水孔と前記排水孔との間に上方へ突出する凸部を備えることを特徴とする。これにより、洗浄水は、排水孔と排水孔との間でいずれかの排水孔へと流れるようになる。すなわち、排水孔と排水孔との間の水捌けが良好となる。
【００１３】
また、前記排水孔から前記排水管までの流路は、前記ボウル部とは別部材である連通部を前記ボウル部へ接合することで形成され、前記連通部は、前記ボウル部との接合位置における前記流路の底面の高さが前記排水孔の下面の高さよりも低いことを特徴とする。
【００１４】
これにより、洗浄水は、ボウル部と連通部との間で停滞することなく連通部へと確実に流れるようになる。すなわち、連通部におけるボウル部との接合位置の水捌けが良好となる。
【発明の効果】
【００１５】
実施形態の一態様によれば、泡残りや水溜りの発生を抑えることができる。
【図面の簡単な説明】
【００１６】
【図１】図１は、実施形態に係る手洗い器を示す平面図である。
【図２】図２は、図１におけるＡ−Ａ線断面図である。
【図３】図３は、図１におけるＢ−Ｂ線断面図である。
【図４】図４は、図３におけるＣ部拡大図である。
【図５】図５は、手洗い器の外観を示す斜視図である。
【図６】図６は、排水孔の形状ごとの排水性能を示すグラフである。
【図７】図７は、排水孔の寸法についての説明図である。
【図８】図８は、手洗い器の他の例を示す平面図である。
【発明を実施するための形態】
【００１７】
以下、添付図面を参照して、本願の開示する手洗い器の実施形態を詳細に説明する。なお、以下に示す実施形態によりこの発明が限定されるものではない。
【００１８】
図１は、実施形態に係る手洗い器を示す平面図である。なお、図１では、各部の位置関係を明確にするために、互いに３次元で直交するＸ軸、Ｙ軸およびＺ軸を規定する。また、図１の座標軸において、Ｚ軸の正方向を図中の奥から手前へと向かう方向とする。
【００１９】
また、図１では、立体的に表すために、通常は目視されない平面と曲面（アール）との境界線を細線で示している。なお、かかる境界線は、図５および図８においても図示している。
【００２０】
図１に示すように、手洗い器１は、取付部２と、ボウル部３とを備える。取付部２は、洗浄水をボウル部３へ向けて吐水する蛇口等の水栓（図示せず）を取り付ける部位である。ボウル部３は、水栓から吐水される洗浄水を受け、受けた洗浄水を後述する排水孔１２からボウル部３の下方にある排水管４へと排出する部位である。なお、本実施形態では、水栓の取付部を備える手洗い器について説明するが、これに限定されず、手洗い器から水栓の取付部を省略することとしてもよい。すなわち、上記水栓を手洗い器に配置するのではなく、壁等に配置することとしてもよい。
【００２１】
ボウル部３は、背面５と、底面６と、一対の側面７，７と、正面８と、排水溝１０とを備える。ここで、背面５、底面６、一対の側面７，７および正面８は、一体として形成されており、背面５と底面６との間に、排水溝１０が設けられる。
【００２２】
背面５は、水栓の配置側に設けられる。なお、背面５は、Ｘ軸方向に沿って設けられる。排水溝１０は、背面５の水平方向に沿って設けられる。排水溝１０の長辺の長さは、背面５の水平方向の幅よりも排水管４の開口径に近い長さである。
【００２３】
また、排水溝１０は、底面６側に側壁１１を備える。なお、図１では、排水溝１０を斜線で示している。排水溝１０において、側壁１１の下部には排水孔１２，１２が設けられる。排水孔１２，１２は、図３および図４を用いて後述する連通部を介して洗浄水をボウル部３から排水管４へと排出する。また、排水溝１０は、底壁１３を備える。排水溝１０は、底壁１３および底壁１３を四方から取り囲む側壁１１によって形成される。
【００２４】
底面６は、排水溝１０の長辺、すなわち、側壁１１の上端縁に接続される。正面８は、底面６に接続され、底面６へ向けて下り傾斜して設けられる。一対の側面７，７は、排水溝１０の短辺、底面６および正面８に接続され、底面６へ向けて下り傾斜して設けられる。なお、排水溝１０の短辺とは、長辺と略直交する辺、すなわち、Ｙ軸方向に沿った辺である。
【００２５】
図１に示すように、実施形態に係る手洗い器１では、水栓から吐水された洗浄水は、ボウル部３の任意の位置に落下する。図１では、洗浄水の落下点の一例を「×」印で示している。なお、洗浄水の落下点は、水栓の吐水向きや吐水量等によって異なる。
【００２６】
落下した洗浄水は、落下点から一旦広がるが、一対の側面７，７および正面８の傾斜によって押し戻されつつ、排水溝１０へ向かって流れる。ここで、排水溝１０の長辺の長さが背面５の幅よりも小さく、また、一対の側面７，７および正面８の傾きが排水溝１０へ向かって集約される形状であるため、ボウル部３へ吐水された洗浄水は、排水溝１０へと集中する。
【００２７】
したがって、実施形態に係る手洗い器１では、排水溝１０へ流れ込む洗浄水の水勢を高めることができる。これにより、洗浄水が流れきるとともに洗浄水と一緒に泡も流れ、底面６、一対の側面７，７および正面８における泡残りや水溜りの発生を抑えることができる。
【００２８】
また、上述したように、排水溝１０は短尺であるので、排水溝１０へ流れ込んだ洗浄水の水勢を維持したまま洗浄水を排水孔１２へ導くことができる。これにより、洗浄水が流れきるとともに洗浄水と一緒に泡も流れ、排水溝１０における泡残りや水溜りの発生を抑えることができる。
【００２９】
なお、図１に示すように、実施形態に係る手洗い器１では、底面６を排水溝１０へ向けて幅狭となるように構成した。また、底面６を排水溝１０へ向けて下り傾斜に構成した。さらに、排水溝１０の底壁１３を排水孔１２へ向けて下り傾斜に構成した。これらの構成の詳細については、図２および図３を用いて後述する。
【００３０】
また、図１に示すように、実施形態に係る手洗い器１では、排水孔１２を排水溝１０の長辺に沿って複数設ける構成とした。さらに、排水溝１０の底壁１３には、排水孔１２と排水孔１２との間で上方へ突出する凸部を設ける構成とした。これらの構成の詳細についても、図２および図３を用いて後述する。
【００３１】
また、図１に示すように、実施形態に係る手洗い器１は、ボウル部３に落下した洗浄水が図中の下方から上方（Ｙ軸の正方向）へ流れるような形状であるが、手洗い器の形状は任意であり、たとえば、洗浄水がＸ軸の正方向に流れるような形状としてもよい。
【００３２】
以下、図２〜図４を参照して実施形態に係る手洗い器１についてさらに詳しく説明する。図２は、図１におけるＡ−Ａ線断面図である。図３は、図１におけるＢ−Ｂ線断面図である。図４は、図３におけるＣ部拡大図である。なお、図２および図３においても、図１と同様、互いに３次元で直交するＸ軸、Ｙ軸およびＺ軸を規定する。
【００３３】
ここで、上記した従来の手洗い器では、排水溝の長辺がボウル部の幅方向の長さに近い長さであった。すなわち、排水溝が長尺であった。このため、底面から排水溝へと流れる洗浄水は、幅方向に広がってしまい水勢が衰えることがあった。さらに、排水溝の両端から排水孔までが遠く、洗浄水が排水溝内で停滞することがあった。
【００３４】
このように、洗浄水が排水溝内で停滞すると、水溜りが発生したり、本来ならば洗浄水と共に流れるはずの泡が残る泡残りが発生したりする可能性が高まる。
【００３５】
そこで、実施形態に係る手洗い器１では、排水溝１０の長辺の長さを短くするとともに、ボウル部３を形成する各面（背面５、底面６、一対の側面７，７および正面８）が排水溝１０へと集約される形状とした。これにより、洗浄水がボウル部３の幅方向に広がらず、排水溝１０へと流れ込む洗浄水の水勢を好適に保つことができる。以下では、ボウル部３を形成する各面および排水溝１０について具体的に説明する。
【００３６】
図２に示すように、ボウル部３では、一対の側面７，７のそれぞれの下端縁が底面６に接続される。なお、底面６と一対の側面７，７との境界はアール形状に形成される。
【００３７】
このように、一対の側面７，７は、底面６に接続される他、底面６よりもＹ軸の正方向において排水溝１０の底壁１３に接続される。つまり、一対の側面７，７は、排水溝１０の両側面を形成する。なお、一対の側面７，７および底壁１３の境界はアール形状に形成される。これにより、排水溝１０の底壁１３は、Ｘ軸に沿ったいずれの方向についても、排水孔１２へ向けて下り傾斜となる。
【００３８】
排水孔１２は、側壁１１の下部に複数設けられる。図２では、２つの排水孔１２，１２が設けられる場合を例示している。かかる構成によれば、同じ形状の孔であれば１つの排水孔１２が設けられる場合に比べて排水孔１２の総面積は２倍になる。ここで、排水孔１２の総面積が大きいほど洗浄水の排水量は大きくなるので、複数の排水孔１２，１２を設けることで、より大きな排水量が得られるようになる。
【００３９】
一方、排水孔１２の総面積が同じ場合、排水孔１２を単数とする場合よりも複数とする場合のほうが、個々の排水孔１２の面積を小さくすることができるので、異物が流入しにくくなる。したがって、複数の排水孔１２，１２とすることで、上述したように、洗浄水の単位時間あたりの排水量を増加させながらも、異物の流入を防ぐことができる。つまり、複数の排水孔１２，１２とすることで、排水性能が向上する。
【００４０】
また、上述したように、排水孔１２，１２は、洗浄水をボウル部３から排水管４（図３参照）へと排出する。ここで、排水孔１２，１２と排水管４との距離が大きいと、洗浄水が排水孔１２，１２と排水管４との間に滞留する傾向が高まる。したがって、排水孔１２，１２は、排水管４の付近に設けられることが好ましい。
【００４１】
なお、手洗い器１を設置する際には、手洗い器１を排水管４の位置にあわせてレイアウトすることが通常である。このため、図２の例では、手洗い器１を、排水管４がボウル部３の略中央に位置するように設置することになる。なお、図２の例では、排水管４をボウル部３の略中央に位置するように設置しているが、これに限定されず、たとえば、排水管４を一端側に片寄せて設置してもよい。
【００４２】
また、図２に示すように、一対の側面７，７のそれぞれの下方には、ゴムブッシュ２０が設けられる。かかるゴムブッシュ２０を設けることで、施工時における手洗い器１の破損リスクを低減することができる。
【００４３】
図３に示すように、底面６は、排水溝１０へ向けて下り傾斜となる。かかる構成によれば、洗浄水は、底面６の傾斜によって勢いが付き、十分な水勢を持って排水溝１０へと流れ込むようになる。
【００４４】
さらに、底面６は、排水溝１０へ向けて幅狭となる（図１参照）。かかる構成によれば、底面６を流れる洗浄水は、排水溝１０へと集中する。これにより、洗浄水がボウル部３の幅方向へ広がることを抑えることができる。さらに、洗浄水が排水溝１０へと向かうにつれて、底面６における一対の側面７，７との境界である端縁の流量が増す。これにより、洗浄水は、十分な水勢を持って排水溝１０へと流れ込むようになる。
【００４５】
また、図３に示すように、背面５は、排水溝１０の底壁１３に接続される。背面５および底壁１３の境界はアール形状に形成される。排水溝１０の底壁１３がかかるアール形状を含むことによって、排水溝１０の底壁１３は、Ｙ軸の負方向へ向けて下り傾斜となる。すなわち、排水溝１０の底壁１３は、排水孔１２へ向けて下り傾斜となる。
【００４６】
さらに、図２に示すように、排水溝１０の底壁１３は、Ｘ軸に沿ったいずれの方向についても、排水孔１２，１２へ向けて下り傾斜となる。したがって、排水溝１０の底壁１３は、Ｘ軸についても、Ｙ軸についても、排水孔１２，１２へ向けて下り傾斜となる。かかる構成によれば、排水溝１０に流れ込んだ洗浄水は、排水孔１２，１２へと集中するとともに水勢を増して排水孔１２，１２へと流れ込むようになる。
【００４７】
また、図２に示すように、排水溝１０の底壁１３には、排水孔１２と排水孔１２との間で上方へと突出する凸部１４が設けられる。かかる構成によれば、排水孔１２と排水孔１２との間にある洗浄水はいずれかの排水孔１２，１２へと流れ込むようになる。これにより、排水孔１２と排水孔１２との間の水捌けが良好となる。
【００４８】
図３に示すように、正面８は、底面６の傾斜よりも急勾配で底面６へと下り傾斜する。なお、図２に示すように、正面８は、上端縁の幅がボウル部３の幅に近くなり、底面６（Ｙ軸の正方向）へと向かうにつれて幅方向の長さが短くなる。
【００４９】
また、図３に示すように、取付部２の取付孔２ａには、洗浄水を吐水する水栓２１が設けられる。上述したように、水栓２１から吐水された洗浄水は、ボウル部３における各面の任意の位置に落下する。
【００５０】
手洗い器１は、たとえば、陶器製であり、取付部２およびボウル部３を含めて一体に形成される。これに対し、ボウル部３の下部に設けられる連通部２２（図３参照）は、取付部２およびボウル部３とは別部材である。そして、連通部２２がボウル部３へ接合されることで手洗い器１が形成される。
【００５１】
ここで、図４を参照して連通部２２について説明する。なお、図４では、説明の便宜上、通常は表れない排水孔１２を図示している。連通部２２は、たとえば、陶器製であり、ボウル部３における排水孔１２と排水管４との間の流路を形成する。たとえば、連通部２２をボウル部３へ接着後、手洗い器１を焼成することで、連通部２２はボウル部３と一体的に接合される。
【００５２】
図４に示すように、連通部２２は、ボウル部３との接合位置における流路の底面２２ａの高さが、排水孔１２の下面１２ａの高さよりも低い。また、排水孔１２の下面１２ａの高さは、排水溝１０の底壁１３の高さよりも低い。かかる構成によれば、排水溝１０の底壁１３の高さが最も高く、排水孔１２の下面１２ａ、連通部２２における流路の底面２２ａと下流になるにつれて高さが低くなる。これにより、洗浄水は、排水溝１０の底壁１３、排水孔１２の下面１２ａ、流路の底面２２ａの順に円滑に流れ、ボウル部３と連通部２２との間で停滞することなく連通部２２へと確実に流れるようになる。すなわち、連通部２２の接合位置の水捌けが良好となる。
【００５３】
図５は、手洗い器１の外観を示す斜視図である。図５に示すように、手洗い器１は、排水孔１２（図２等参照）が排水溝１０内に設けられるため、外観上、排水孔１２が見えない。これにより、手洗い器１の意匠性が高まる。
【００５４】
ところで、排水孔１２は、長辺が排水溝１０の長辺に沿った長孔（横孔）であることが好ましい。この点について、図６および図７を参照して排水孔１２を横孔とした場合の優位性について説明する。図６は、排水孔１２の形状ごとの排水性能を示すグラフである。図７は、排水孔１２の寸法についての説明図である。
【００５５】
なお、図６では、排水孔１２（図２等参照）の排水性能を、排水溝１０内の洗浄水の水位と排水孔１２を流れる洗浄水の流水面積との関係によって表している。ここで、排水孔１２からの排水量は、流水面積が大きいほど大きいので、同じ水位で流水面積が大きいほど、排水性能が良好であるといえる。なお、図６では、高さ（短辺）が同じ寸法で幅（長辺）が異なる寸法の２種類の横孔（横孔ａ、横孔ｂ）と、比較例としての従来の縦孔とを示している。ここで、横孔ａは、横孔ｂよりも幅広な孔である。
【００５６】
図６に示すように、排水孔１２の形状としては、横孔ｂが最も排水性能が高いことがわかる。反対に、従来の縦孔は、２種類の横孔ａ、横孔ｂに比べて排水性能が低いことがわかる。これは、縦孔の場合、排水溝１０内の水位が上昇しない限り十分な流水面積を確保できないためである。一方で、横孔ａおよび横孔ｂは、水位が低くても大きな流水面積を確保することができる。
【００５７】
また、図７に示すように、排水孔１２として、長辺の寸法は、排水管４の内径Ｌ以下とすることが好ましい。具体的には、長辺の寸法は、排水管４の内径Ｌ（２８〜２２ｍｍ）に応じて、たとえば、２８〜２２ｍｍ以下とすることが好ましい。かかる寸法とするのは、排水管４における排水トラップ２３での異物の詰まりを防止するためである。
【００５８】
なお、排水孔１２の短辺寸法は、たとえば、１５ｍｍ程度が好ましい。かかる寸法とするのは、たとえば、人（とくに、小児）の手指等が挿入された場合に抜けなくなることを防止するためである。
【００５９】
これらの構成によれば、高い排水性能を有するとともに、排水トラップ２３の詰まりを防止し、かつ、排水孔１２に手指等が挿入されて抜けなくなること等を防止することができる。すなわち、排水性能、清掃性および安全性の向上を同時に図ることができる。
【００６０】
また、排水孔１２，１２の総面積は、排水溝１０の底壁１３の面積の２〜６０％の範囲であることが好ましい。なかでも、３０％程度がより好ましい。なお、排水孔１２，１２の総面積を底壁１３の面積の２％未満とすると、洗浄水の流れが極端に悪くなり、洗浄水が排水溝１０内で停滞する可能性が高まる。また、排水孔１２，１２の総面積を底壁１３の面積の６０％よりも大きくすると、排水孔１２，１２と排水管４との間で洗浄水が停滞する可能性が高まる。
【００６１】
また、手洗い器１において、排水溝１０の底壁１３の寸法は、たとえば、手洗い器１の外形寸法を幅（Ｘ軸方向）３５５±５ｍｍ、奥行き（Ｙ軸方向）２７５±５ｍｍとした場合、幅が８４ｍｍ、奥行きが２５ｍｍである。
【００６２】
上述してきたように、実施形態に係る手洗い器１では、排水溝１０の長辺の長さが背面５の幅よりも排水管４の径に近い長さである。また、底面６および一対の側面７，７が排水溝１０へと集約される形状である。このため、洗浄水が広がらずに排水溝１０へと集中し、排水溝１０へ流れ込む洗浄水の水勢を好適に保つことができる。これにより、洗浄水が流れきるとともに洗浄水と一緒に泡も流れ、泡残りや水溜りの発生を抑えることができる。
【００６３】
なお、上述した実施形態に係る手洗い器１では、排水管４の位置にあわせて排水溝１０をボウル部３の幅方向（Ｘ軸方向）の略中央に設けた。そして、ボウル部３の幅方向について、排水溝１０を中心に対称形状に形成した。しかしながら、これに限らず、排水溝１０を排水管４の位置にあわせることを前提として、排水溝１０を任意の位置に設ける構成としてもよい。たとえば、排水溝１０を幅方向（Ｘ軸方向）のいずれかに偏らせ、偏った位置に設けられた排水溝１０へと凹部が集中するようにボウル部３を形成してもよい。
【００６４】
ここから、手洗い器１の他の例について説明する。図８は、手洗い器１の他の例を示す平面図である。なお、これから説明する他の例（手洗い器３０）では、上述した手洗い器１と同一または同等箇所の説明を省略し、相違する箇所について説明する。また、他の例（手洗い器３０）においては、Ｘ軸方向を奥行き、Ｙ軸方向を幅と規定して説明する。
【００６５】
図８に示すように、手洗い器３０では、水栓から吐水された洗浄水が、図中のＸ軸の正方向へ向かって流れる。排水溝４０は、同図におけるＹ軸の正方向に偏って配置されており、上述した手洗い器１（図１参照）の排水溝１０を時計回りに９０度回転させた向きとなっている。
【００６６】
ボウル部３１は、底面３３および一対の側面３４ａ，３４ｂが排水溝４０へと集約される形状である。また、一対の側面３４ａ，３４ｂは、底面３３を挟んで非対称形状である。なお、図８においても、図１と同様、洗浄水の落下点の一例を「×」印で示している。また、手洗い器３０の使用者は、手等をＹ軸の正方向へと伸ばしてボウル部３１へ差し入れる。
【００６７】
また、手洗い器３０において、排水溝４０の底壁４１の寸法は、たとえば、手洗い器３０の外形寸法を幅（Ｙ軸方向）１８５±５ｍｍ、奥行き（Ｘ軸方向）３５５±５ｍｍとした場合、幅が７２ｍｍ、奥行きが２５ｍｍである。
【００６８】
かかる手洗い器３０では、上述した手洗い器１と同様、排水溝４０の長辺の長さが背面３２の幅よりも排水管４の径に近い長さである。また、底面３３および一対の側面３４ａ，３４ｂが排水溝４０へと集約される形状である。このため、洗浄水が広がらずに排水溝４０へと集中し、排水溝４０に流れ込む洗浄水の水勢を好適に保つことができる。これにより、洗浄水が流れきるとともに洗浄水と一緒に泡も流れ、泡残りや水溜りの発生を抑えることができる。
【００６９】
なお、上述した手洗い器１（手洗い器３０）は、人が手を洗うことに用途が限定されず、人が顔等を洗う洗面器にも適用可能である。すなわち、上述した手洗い器１（手洗い器３０）の範疇には洗面器が含まれる。
【００７０】
また、上述した手洗い器１（手洗い器３０）では、手洗い器１（手洗い器３０）が水栓の取付部を備える場合について説明したが、これに限定されず、手洗い器１（手洗い器３０）から水栓の取付部を省略することとしてもよい。すなわち、上記水栓を手洗い器１（手洗い器３０）に配置するのではなく、壁等に配置することとしてもよい。
【００７１】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００７２】
１      手洗い器
２      取付部
３      ボウル部
４      排水管
５      背面
６      底面
７      側面
８      正面
１０    排水溝
１１    側壁
１２    排水孔
１２ａ  （排水孔の）下面
１３    底壁
２１    水栓
２２    連通部
２２ａ  （連通部における流路の）底面
【図１】
2016023404.tif 000003
【図２】
2016023404.tif 000004
【図３】
2016023404.tif 000005
【図４】
2016023404.tif 000006
【図５】
2016023404.tif 000007
【図６】
2016023404.tif 000008
【図７】
2016023404.tif 000009
【図８】
2016023404.tif 000010